(57)【要約】【課題】蓄電池および手持ち式工具装置の制御方法において、様々な手持ち式工具装置のために使用することのできる蓄電池の最適な稼働率を可能とする手持ち式工具装置と蓄電池とからなるシステムを提案する。【解決手段】手持ち式工具装置（１）と通信し、該手持ち式工具装置に給電するためのインターフェイス（１２，１３）を備える蓄電池（１０）の制御方法において、前記手持ち式工具装置び特徴情報および／または手持ち式工具装置の作動プロセス情報を前記インターフェイスを介して受信する。【選択図】図１
2010158768.tif 000002
【特許請求の範囲】
【請求項１】
手持ち式工具装置（１）と通信し、該手持ち式工具装置に給電するためのインターフェイス（１２，１３）を備える蓄電池（１０）の制御方法において、
前記手持ち式工具装置の特徴情報および／または手持ち式工具装置の作動プロセス情報を前記インターフェイスを介して受信することを特徴とする制御方法。
【請求項２】
請求項１に記載の制御方法において、
前記手持ち式工具装置（１）の負荷特性に関する特徴情報を用いる制御方法。
【請求項３】
請求項１または２に記載の制御方法において、
前記蓄電池の臨界電圧および／または前記蓄電池の個別セルの臨界電圧を下回ってもよい最大許容継続時間に関する特徴情報を、前記インターフェイスを介して受信し、前記蓄電池の深放電防止装置（１５）が、前記最大許容継続時間よりも長く前記臨界電圧を下回ったことを検出した場合、前記インターフェイス（１３）を介して警報を発信し、かつ／または前記インターフェイス（１２）を介して給電を前記蓄電池（１０）の側で中断する制御方法。
【請求項４】
蓄電池と通信し、蓄電池から給電するためのインターフェイスを備える手持ち式工具装置の制御方法において、
手持ち式工具装置の特徴情報および／または手持ち式工具装置の作動プロセス情報を前記インターフェイスを介して発信することを特徴とする制御方法。
【請求項５】
請求項４に記載の制御方法において、
前記蓄電池の臨界電圧下を回ってもよい最大許容継続時間に関する特徴情報を、前記インターフェイスを介して発信し、前記最大許容継続時間よりも長く前記臨界電圧を下回ったという前記深放電防止装置（１５）の警報（１７）を前記インターフェイスを介して受信した場合、手持ち式工具装置（１）のモータ（４）をスイッチオフする制御方法。
【請求項６】
請求項５に記載の制御方法において、
特徴情報を前記手持ち式工具装置（１）の永久メモリ（２０）から読み出す制御方法。
【請求項７】
請求項４から６までのいずれか一項に記載の制御方法において、
前記手持ち式工具装置（１）のシステムスイッチ（２）が所定時間（Ｔ１）よりも長く操作されていない場合に特徴情報を発信する制御方法。
【請求項８】
請求項４から７までのいずれか一項に記載の制御方法において、
特徴情報の伝達時に前記手持ち式工具装置（１）の前記モータ（４）を作動停止する制御方法。
【請求項９】
請求項５から８までのいずれか一項に記載の制御方法において、
特徴情報が臨界電圧のための基準を含む制御方法。
【請求項１０】
請求項４から９までのいずれか一項に記載の制御方法において、
前記手持ち式工具装置（１）の記録手段（２１）が、手持ち式工具装置（１）の作動を記録し、記録されたデータを前記蓄電池（１０）に記憶させるために該蓄電池（１０）に伝達する制御方法。
【請求項１１】
請求項１０に記載の制御方法において、
システムスイッチ（２）が所定時間（Ｔ１）よりも長く操作されていない場合に、前記記録されたデータを伝達する制御方法。
【請求項１２】
手持ち式工具装置と蓄電池とからなるシステムの制御方法において、
前記手持ち式工具装置を、電流インターフェイスを介して手持ち式工具装置に給電するための前記蓄電池に接続可能にし、前記蓄電池と通信するためのデータインターフェイスを前記手持ち式工具装置に設け、前記手持ち式工具装置の特徴情報および／または前記手持ち式工具装置の作動プロセス情報を前記蓄電池に伝達することを特徴とする制御方法。
【請求項１３】
請求項１２に記載の制御方法において、
請求項１から３までのいずれか一項に記載の制御方法を前記蓄電池（１０）いより実施し、請求項４から１１までのいずれか一項に記載の制御方法を前記手持ち式工具装置（１）により実施する制御方法。
【請求項１４】
手持ち式工具装置（１）と通信し、該手持ち式工具装置に給電するためのインターフェイスを備える、手持ち式工具装置のための蓄電池において、
前記手持ち式工具装置（１）から伝達された手持ち式工具装置（１）の特徴データに応答して深放電を監視するための深放電防止装置（１５）および／または前記手持ち式工具装置から伝達された手持ち式工具装置の作動プロセス情報を記憶させるためのデータメモリ（１８）を有することを特徴とする蓄電池。
【請求項１５】
手持ち式工具装置と蓄電池とからなるシステムであって、該蓄電池が、手持ち式工具装置（１）と通信し、蓄電池（１０）によって前記手持ち式工具装置に給電するためのインターフェイスを備えるシステムにおいて、
請求項１２または１３に記載の制御方法を実施するために設定されていることを特徴とするシステム。
【発明の詳細な説明】
【技術分野】
【０００１】
本発明は、蓄電池および手持ち式工具装置の制御方法ならびに蓄電池と手持ち式工具装置とからなるシステムに関する。
【背景技術】
【０００２】
手持ち式工具装置の給電は、蓄電池、例えばリチウムイオン蓄電池により行うことが多くなっている。例えば深放電による蓄電池の損傷を防止するために蓄電池からの消費出力を制御する必要がある。従来技術により公知の充電型の手持ち式工具装置は、本願出願人のウェブサイト：http://www.hilti.co.jp/において閲覧可能である。
【０００３】
様々な手持ち式工具装置により蓄電池に課せられる要求および負荷特性は極めて大きく異なっている。さらに用途によっても要求は異なる。
【先行技術文献】
【非特許文献】
【０００４】
【非特許文献１】http://www.hilti.co.jp/
【発明の概要】
【発明が解決しようとする課題】
【０００５】
本発明の課題は、様々な手持ち式工具装置のために使用することのできる蓄電池の最適な稼働率を可能とする、手持ち式工具装置と蓄電池とからなるシステムを提案することである。
【課題を解決するための手段】
【０００６】
この課題は、本発明による制御方法、および手持ち式工具装置と蓄電池とからなるシステムにより解決される。
【０００７】
手持ち式工具装置と通信し、手持ち式工具装置に給電するためのインターフェイスを有する本発明による蓄電池の制御方法では、蓄電池は、手持ち式工具装置を特徴づける特徴情報および／または手持ち式工具装置の作動プロセスに関する作動プロセス情報をインターフェイスを介して受信する。
【０００８】
蓄電池と通信し、蓄電池から給電するためのインターフェイスを備える本発明による手持ち式工具装置の制御方法では、手持ち式工具装置の特徴情報および／または手持ち式工具装置の作動プロセス情報をインターフェイスを介して発信する。
【０００９】
手持ち式工具装置と蓄電池とからなるシステムのための本発明による制御方法では、手持ち式工具装置は手持ち式工具装置に給電する蓄電池に電流インターフェイスを介して接続可能であり、手持ち式工具装置は蓄電池と通信するためのデータインターフェイスを備え、手持ち式工具装置の特徴情報および／または手持ち式工具装置の作動プロセス情報は蓄電池に伝達される。
【００１０】
手持ち式工具装置は、典型的な使用特性を蓄電池に伝達する。これにより蓄電池はスイッチオフを最適化することができる。蓄電池の全ての可能な使用分野を網羅する厳しいスイッチオフ基準を無効にするか、または用途もしくは手持ち式工具装置に適合させることができる。
【００１１】
特徴情報は、手持ち式工具装置の負荷特性、例えば蓄電池の臨界電圧および／または蓄電池の臨界電圧を超過してもよい最大許容継続時間を含む。特徴情報は、手持ち式工具装置の永久メモリから読み取ることができる。
【００１２】
本発明による一構成では、臨界電圧および／または蓄電池の臨界電圧を超過してもよい最大許容継続時間に関する特徴情報は、インターフェイスを介して送受信される。蓄電池の深放電防止装置が、最大許容継続時間よりも長く臨界電圧を下回ったことを検出した場合、インターフェイスを介して手持ち式工具装置に警報が発信され、かつ／またはインターフェイスを介した給電は蓄電池側で中断される。深放電防止装置の警報が、最大許容継続時間よりも長く臨界電圧を下回ったことを手持ち式工具装置がインターフェイスを介して受信した場合、手持ち式工具装置はモータをスイッチオフする。
【００１３】
手持ち式工具装置の記録手段は、手持ち式工具装置の作動を記録し、記録したデータを蓄電池に記憶するために蓄電池に伝達することができる。記録データは、例えばシステムスイッチが所定時間よりも長く操作されていない場合に伝達される。
【００１４】
蓄電池、手持ち式工具装置、および蓄電池と手持ち式工具装置とからなるシステムは、本発明による方法を実施するために設けられている。
【発明の効果】
【００１５】
本発明により、様々な手持ち式工具装置のために使用することのできる蓄電池の最適な稼働率を可能とする手持ち式工具装置と蓄電池とからなるシステムが得られるという効果が達成される。
【図面の簡単な説明】
【００１６】
【図１】蓄電池を備える手持ち式工具装置の概略図である。
【発明を実施するための形態】
【００１７】
次に本発明を例示的な実施の形態および図面に基づき説明する。
【００１８】
図１は、手持ち式工具装置のための実施例として、バッテリにより駆動される標準スクリュードライバ１を示している。使用者はシステムスイッチ２を操作することができ、これにより、システム制御部３が作動される。システム制御部３はモータ４をスイッチオンし、モータ４は、動力伝達系６、および、例えばナットまたはビットのための工具収容部７を回動させる。システム制御部３は、使用者がシステムスイッチ２を解除した場合にモータ４を停止する。以下ではモータ４がスイッチオンされている時間をスクリュードライバ１のアクティブ位相と呼ぶ。アクティブ位相は、標準スクリュードライバ１の使用分野に関係している。典型的な用途では、アクティブ位相は、例えば２〜６秒である。
【００１９】
手持ち式工具装置１の給電は充電可能な蓄電池１０により行う。手持ち式工具装置１および蓄電池１０には、相互に対応した電流インターフェイス８，１２が設けられている。蓄電池１０は、例えば、多数のセル１１を備えるリチウムイオン蓄電池であってよい。
【００２０】
蓄電池１０は、所定の電気容量および充電状態を有している。アクティブ位相では、手持ち式工具装置１は蓄電池１０を放電する。蓄電池１０は、最小限の充電状態を下回って放電してはならない。なぜなら、これにより蓄電池１０を永久的に損傷してしまう場合があるからである。このような放電を深放電と呼ぶ。蓄電池１０は、蓄電池１０の深放電防止装置１５が深放電を検出した場合に、データインターフェイス９，１３を介して手持ち式工具装置１に警報１７を発信する。手持ち式工具装置１は、警報１７に応答してアクティブ位相を予定より早く終了させ、モータ４をスイッチオフする。
【００２１】
警報１７は、一義的に同定可能な信号として手持ち式工具装置１に伝達することができる。代替的には、蓄電池１０のエラー報告または警報は、状態信号、場合によっては個別の情報ユニットとしてまとめることもできる。さらなる警報は、例えば蓄電池１０の許容作動温度の超過に関連していていもよい。
【００２２】
深放電の第１の兆候は、蓄電池１０の臨界電圧を下回る蓄電池１０の端子電圧の降下である。負荷下に、端子電圧は臨界電圧を下回って降下する場合がある。もちろん、蓄電池が負荷されない場合に端子電圧が再び上昇し、ひいては臨界電圧を超える値に到達する場合もある。それ故、深放電は端子電圧に基づき、負荷下にのみ、すなわち、アクティブ位相の間にのみ正確に検出することができる。
【００２３】
しかしながら、深放電ではなく短時間のピーク負荷によっても臨界電圧を下回ることがある。負荷がピーク負荷から平均レベルに降下するや否や、端子電圧は平均的な負荷が継続されている場合であっても臨界電圧を超えて再び上昇する。したがって臨界電圧を短時間下回ることは有害な深放電の兆候ではなく、手持ち式工具装置１の高い機械的負荷の兆候でしかない。
【００２４】
標準スクリュードライバでは、例えば固定されたねじの解除時にピーク負荷が生じる場合がある。ピーク負荷は、例えば１〜２秒間続く。このような負荷時には、蓄電池１０の端子電圧は深放電ではなくても１〜２秒間、臨界電圧下を下回って降下する場合がある。この場合に標準スクリュードライバがスイッチオフされることをは不都合である。それ故、標準スクリュードライバに接続された蓄電池において１〜２秒間の典型的な継続時間、手持ち式工具装置１に深放電が警告されることなしに端子電圧が臨界電圧未満に降下してもよいようになっている。
【００２５】
しかしながら、一般に１〜２秒間臨界電圧を下回ることは許容されない。これにについては乾式構造用スクリュードライバを例に挙げることができる。乾式構造用スクリュードライバは、特に乾式構造における要求に適合されたスクリュードライバであり、特にねじを供給するためのマガジンを備えていてもよい。乾式構造用スクリュードライバの消費出力および負荷特性は、標準スクリュードライバの消費出力および負荷特性とは異なっていてる場合もある。乾式構造におけるねじの取付所要時間、すなわち、アクティブ位相は、典型的には平均して０．２〜１秒、例えば０．５秒である。したがって、１〜２秒間臨界電圧を下回ることができるにはアクティブ位相が短すぎる。それ故、乾式構造用スクリュードライバでは、臨界電圧を下回ってもよい許容継続時間を、アクティブ位相よりも短い別の値、例えば典型的なアクティブ位相の８０％〜９０％に規定している。
【００２６】
手持ち式工具装置１は、臨界電圧を下回ってもよい許容継続時間Ｔを記憶したメモリ２０を備えている。許容継続時間Ｔは、手持ち式工具装置１の種類または使用分野に関連してあらかじめ規定しておいてもよい。メモリは永久メモリであってもよく、許容継続時間Ｔは手持ち式工具装置１の作製時に規定される。最大許容継続時間Ｔは、アクティブ位相の予想平均継続時間に関連して規定することができる。例えば最大許容継続時間Ｔは、アクティブ位相の５０％〜９０％であってよい。例えば手持ち式丸鋸の１〜２分など比較的長いアクティブ位相を有する手持ち式工具装置１の場合、代替的または付加的に、最大許容継続時間Ｔの上限を２〜５秒に規定することができる。
【００２７】
深放電の監視は、蓄電池１０の深放電防止装置１５によって行うことができる。臨界電圧は、蓄電池１０全体または蓄電池１０の個々のセル１１のために規定し、監視することができる。代替的または付加的に、深放電の監視は、システム制御部３の深放電防止装置によって行うこともできる。
【００２８】
深放電防止装置１５は、蓄電池１０の端子電圧が臨界電圧未満に降下した場合にトリガされる。深放電防止装置１５は第１の時間Ｔだけ待機している。第１の時間Ｔの間、端子電圧が臨界電圧未満に留まっていた場合、蓄電池１０は手持ち式工具装置１から分離される。一実施形態では、深放電防止装置１５は、データインターフェイスを介して手持ち式工具装置に警報を発信する。手持ち式工具装置の制御手段は、警報に応答して電流インターフェイスを作動停止し、かつ／またはモータ４をスイッチオフする。代替的または付加的に、蓄電池１０は電流インターフェイス１２を作動停止することもできる。
【００２９】
第１の時間Ｔ内に端子電圧が臨界電圧を超過して再び上昇した場合、深放電防止装置１５は作動停止される。第１の時間Ｔは、臨界電圧を下回ることが許容される、すなわち、蓄電池１０またはモータ４のスイッチオフが行われない継続時間をあらかじめ規定する。
【００３０】
第１の時間Ｔまたは最大許容継続時間は、それぞれの始動時に手持ち式工具装置１から蓄電池１０に伝達される。最大許容継続時間Ｔは、手持ち式工具装置１のメモリ２０に記憶させてもよい。最大許容継続時間Ｔを伝達するためには、手持ち式工具装置１にデータインターフェイス１３、蓄電池１０に対応したデータインターフェイス９が設けられている。
【００３１】
手持ち式工具装置１は、典型的な負荷の特性データを蓄電池１０に付加的に伝達することができる。これらの特性データは、例えば、アクティブ位相Ｔの間の消費出力またはアクティブ位相の間に生じるピーク負荷を含む。平均的な特性データを手持ち式工具装置１のメモリ２０に記憶させてもよい。例えば、充電された蓄電池１０の典型的な作動時に生じる電圧降下を記憶してもよい。深放電防止装置１５は、電圧降下時に、この電圧降下が手持ち式工具装置１から伝達された電圧降下よりも大きいか否かをチェックすることができ、大きい場合には深放電の兆候であるといえる。この場合、モータ４はスイッチオフされ、かつ／または電流インターフェイス１２が作動停止され、蓄電池１０は手持ち式工具装置１から電気的に分離される。
【００３２】
手持ち式工具装置１は記録手段２１を備えていてもよい。記録手段２１は、作動周期中のアクティブ位相の数を数える。作動周期は、使用者がシステムスイッチ２を解除した場合に終了してもよい。代替的に、作動周期は、使用者が所定時間内にシステムスイッチ２を再び操作した場合には継続することができる。
【００３３】
記録手段２１は、作動継続時間および／または蓄電池１０による消費出力のためのデータを揮発性および／または不揮発性に記録することができる。さらに手持ち式工具装置１は、なぜアクティブ位相が終了されたのかを記録しておくことができる。特にエラー報告または警報によるスイッチオフの頻度に関するデータを記録することができる。エラー報告および警報は、例えば蓄電池１０の側の警報１７、手持ち式工具装置１の二次的深放電防止装置または過負荷防止装置の報告を含む。蓄電池１０には、手持ち式工具装置１の側で収集されたデータを記憶することができる不揮発性のデータメモリ１８を設けてもよい。作動周期および／またはアクティブ位相の後に、手持ち式工具装置１はデータインターフェイス９を介してデータを記憶させるために蓄電池１０に伝達する。
【００３４】
手持ち式工具装置１は、蓄電池１０が電流インターフェイス１２を介した電流供給を中断した場合にデータインターフェイス９の作動を補償する電気的な緩衝器を有している。代替的には、蓄電池１０が第１の電流インターフェイスのスイッチオフ後に時間をずらしてスイッチオフする第２の電流インターフェイスを設けてもよい。第２の電流インターフェイスは比較的わずかな消費出力のみを許容し、手持ち式工具装置１の駆動装置を作動するためではなく、データインターフェイス９を作動するために設計されている。
【００３５】
次いで手持ち式工具装置１と蓄電池１０とからなるシステムの例示的な作動を説明する。使用者がシステムスイッチ２を操作した後、手持ち式工具装置１の最大許容継続時間Ｔ、および場合によっては別の特性データが手持ち式工具装置１から蓄電池１０に伝達される。これらの特性データは、このためにメモリ２０から読み出される。次いで、動力伝達系およびモータ４を作動させることができる。有利には、駆動部およびデータインターフェイス９の並行した作動は防止され、これにより妨害のないデータ伝達が保証される。
【００３６】
蓄電池１０は、伝達された最大許容継続時間Ｔおよび別の特性データをチェックすることができる。この継続時間および特性データが蓄電池１０の所定最大値を超過した場合、値は対応して制限される。蓄電池１０の深放電防止装置１５は、伝達された値、および場合によっては制限された値に対応して調整される。手持ち式工具装置１への蓄電池１０の出力中に、深放電防止装置１５は上記のように端子電圧および／または個別セル電圧を監視する。許容継続時間Ｔよりも長く臨界電圧を下回った場合、蓄電池１０は、警報１７を発信し、かつ／または電流供給を遮断する。
【００３７】
使用者がアクティブ位相の後にシステムスイッチ２をさらに押圧保持するか、または時間Ｔ１内、すなわち、作動周期中にシステムスイッチ２を新たに操作した場合、手持ち式工具装置１と蓄電池１０との間のさらなる通信は行われない。時間Ｔ１を超過した場合、一構成では、手持ち式工具装置１は最大許容継続時間、および場合によっては別の特性データを新たに伝達することができる。
【００３８】
作動周期中に記録手段２１は、例えば消費出力、アクティブ位相の数および作動継続時間を検出する。作動周期が終了するとすぐに、すなわち、システムスイッチ２が時間Ｔ１の間操作されなかった場合にはすぐに、データは記憶のために蓄電池１０に伝達される。
【００３９】
アクティブ位相の間に警報１７が生じた場合、モータ４はスイッチオフされる。記録手段２１は、警報を計数器に記録する。計数器の状態は、作動周期の終了時または警報の発生直後に記憶のために蓄電池に伝達することができる。
【符号の説明】
【００４０】
１  手持ち式工具装置
２  システムスイッチ
４  モータ
１０  蓄電池
１２，１３  インターフェイス
１５  深放電防止装置
１７  警報
１８  データメモリ
２０  メモリ
Ｔ１  時間
【図１】
2010158768.tif 000003